(57)【要約】【課題】扉の開閉とは関係なく野菜収納ケースを出し入れするタイプにおいても野菜を確実に冷却することができる野菜冷却構成を提供する。【解決手段】扉１１１の開閉とは独立して出し入れする収納ケース１１２を備え、前記収納ケースの前面或いは当該収納ケースの前面と対向する前記回転自在な扉の内面に凹凸部１１５を形成して、前記収納ケース前面と扉内面との接触面間に冷気通路を確保する構成としてある。これにより、扉の内面が収納ケースの前面に当接して収納ケースを押し込み、扉内面と収納ケース前面とが接触していても、これら両者間は凹凸部によって必ず冷気通路が形成されることになる。したがって、貯蔵室上部からの冷気は扉内面と収納ケース内面との間に形成される冷気通路を流れて収納ケース外周に拡散し収納ケース内の野菜を確実に冷却することができる。【選択図】図３
2013190136.tif 000002
【特許請求の範囲】
【請求項１】
上下方向に複数の棚板を配置した貯蔵室を有する冷蔵庫本体と、上記冷蔵庫本体の貯蔵室内に引出自在に配置した収納ケースと、前記貯蔵室を開閉する如くその一端部を前記冷蔵庫本体に回転自在に取り付けた扉とを備え、前記扉の開閉とは独立して前記収納ケースを出し入れするようにした冷蔵庫であって、前記収納ケースの前面或いは当該収納ケースの前面と対向する前記回転自在な扉の内面に凹凸部を形成して、前記収納ケース前面と扉内面との接触面間に冷気通路を確保する構成とした冷蔵庫。
【請求項２】
収納ケースの前面上端に把手部を形成するとともに、当該把手部と対向する扉の内面部に凹部を設けて前記把手部との間に冷気風路を形成し、当該冷気風路が凹凸部によって形成される冷気通路と連通する請求項１記載の冷蔵庫。
【請求項３】
収納ケースの前面と対向する扉の内面部分に凹凸形成部材を埋設して凹凸部を形成した請求項１または２記載の冷蔵庫。
【請求項４】
凹凸部はピラミッド型突起群或いは円錐型突起群で形成した請求項の１〜３のいずれか１項記載の冷蔵庫。
【請求項５】
凹凸部は上下方向のスリット状に形成した請求項１〜３のいずれか１項記載の冷蔵庫。
【請求項６】
収納ケースは棚板の下部に引出自在に配置して、当該収納ケースの上面開口を前記棚板によって閉塞した請求項１〜５のいずれか１項記載の冷蔵庫。
【発明の詳細な説明】
【技術分野】
【０００１】
本発明は冷蔵庫に関し、特に野菜室の冷却構成に関するものである。
【背景技術】
【０００２】
一般にこの種の冷蔵庫で野菜室を設けたものは、野菜の乾燥を防止するために、例えば野菜収納ケースの外周部に冷気を流して野菜ケース内の野菜を間接的に冷却するようにしてある（例えば、特許文献１参照）。
【０００３】
図５は上記特許文献１に記載された冷蔵庫を示し、野菜貯蔵室４には貯蔵容器１１が設けられ、この貯蔵容器１１は野菜貯蔵室４の前面開口を開閉する引出扉１０に取り付けられていて、この扉１０を引き出すことによって貯蔵容器１１も引き出され、野菜の出し入れができるようになっている。冷気は前記貯蔵容器１１の前面と引出扉１０の内面との間に形成した隙間Ｔへと流入し、貯蔵容器１１外周面に拡散して当該貯蔵容器１１内部の野菜を冷却するようになっている。なお、貯蔵容器１１内に冷気が出入りして野菜が乾燥しないようにするため蓋１８が設けてある。
【先行技術文献】
【特許文献】
【０００４】
【特許文献１】特開平３−１８１７６５号公報
【発明の概要】
【発明が解決しようとする課題】
【０００５】
上記従来の構成によれば貯蔵容器１１と引出扉１０との間の隙間Ｔを介して貯蔵容器１１外周に冷気を流して内部の野菜を効率よく冷却することができるが、これは貯蔵容器１１が引出扉１０のレール９を介して引出扉の開閉と連動して出入りすることにより、貯蔵容器１１前面と引出扉１０内面との間に隙間Ｔが常に確保されていることで達成されている。しかしながら、扉と貯蔵容器とが連動しておらず扉は扉単独で開閉し、この扉の開閉とは独立して貯蔵容器を出し入れする場合には、当該貯蔵容器の収納位置によって扉内面と貯蔵容器前面との間の隙間がなくなることが予想される。そして、この様な場合、扉内面と貯蔵容器前面との間の隙間がなくなると、貯蔵容器の外周に冷気が流れ込みにくくなって野菜の冷却が十分に行えなくなることが起こりえる。
【０００６】
本発明はこのような点に鑑みてなしたもので、扉の開閉とは関係なく野菜収納ケースを出し入れするタイプにおいても野菜を確実に冷却することができる野菜冷却構成を提供するものである。
【課題を解決するための手段】
【０００７】
本発明は上記目的を達成するため、上下方向に複数の棚板を配置した貯蔵室を有する冷蔵庫本体と、上記冷蔵庫本体の貯蔵室内に引出自在に配置した収納ケースと、前記貯蔵室を開閉する如くその一端部を前記冷蔵庫本体に回転自在に取り付けた扉とを備え、前記扉の開閉とは独立して前記収納ケースを出し入れするようにした冷蔵庫であって、前記収納ケースの前面或いは当該収納ケースの前面と対向する前記回転自在な扉の内面に凹凸部を形成して、前記収納ケース前面と扉内面との接触面間に冷気通路を確保する構成としてある。
【０００８】
これにより、扉と収納ケースとが連動しておらず扉とは関係なく使用者が収納した収納ケースの収納位置が手前側に位置していて扉を閉じた時、当該扉の内面が収納ケースの前
面に当接して収納ケースを押し込んでも、すなわち、扉内面と収納ケース前面とが接触していても、これら両者間は凹凸部によって必ず冷気通路が形成されることになる。したがって、貯蔵室上部からの冷気は扉内面と収納ケース内面との間に形成される冷気通路を流れて収納ケース外周に拡散し収納ケース内の野菜を確実に冷却することができる。
【発明の効果】
【０００９】
本発明は、扉開閉と関係なく収納ケースを出し入れするタイプであっても当該扉内面と収納ケース前面との間に冷気通路を確保して収納ケース外周から内部の野菜を冷気によって確実に冷却することができる。
【図面の簡単な説明】
【００１０】
【図１】本発明の実施の形態１における冷蔵庫の正面図
【図２】同冷蔵庫の断面図
【図３】同冷蔵庫の扉を開いた時の正面図
【図４】同冷蔵庫の扉の斜視図
【図５】従来の冷蔵庫を示す断面図
【発明を実施するための形態】
【００１１】
第１の発明は、上下方向に複数の棚板を配置した貯蔵室を有する冷蔵庫本体と、上記冷蔵庫本体の貯蔵室内に引出自在に配置した収納ケースと、前記貯蔵室を開閉する如くその一端部を前記冷蔵庫本体に回転自在に取り付けた扉とを備え、前記扉の開閉とは独立して前記収納ケースを出し入れするようにした冷蔵庫であって、前記収納ケースの前面或いは当該収納ケースの前面と対向する前記回転自在な扉の内面に凹凸部を形成して、前記収納ケース前面と扉内面との接触面間に冷気通路を確保する構成としてある。
【００１２】
これにより、扉と収納ケースとが連動しておらず扉とは関係なく使用者が収納した収納ケースの収納位置が手前側に位置していて扉を閉じた時、当該扉の内面が収納ケースの前面に当接して収納ケースを押し込んでも、すなわち、扉内面と収納ケース前面とが接触していても、これら両者間は凹凸部によって必ず冷気通路が形成されることになる。したがって、貯蔵室上部からの冷気は扉内面と収納ケース内面との間に形成される冷気通路を流れて収納ケース外周に拡散し収納ケース内の野菜を確実に冷却することができる。
【００１３】
第２の発明は、第１の発明において、収納ケースの前面上端に把手部を形成するとともに、当該把手部と対向する扉の内面部に凹部を設けて前記把手部との間に冷気風路を形成し、当該冷気風路が凹凸部によって形成される冷気通路と連通する構成としてあり、収納ケースの出し入れが把手部を持って容易に行えると同時に把手部を設けていても冷気風路を確保して冷気を収納ケース前面下方に流すことができ、使用性向上と確実な野菜冷却の実現を両立することができる。
【００１４】
第３の発明は、第１または第２の発明において、収納ケースの前面と対向する扉の内面部分に凹凸形成部材を埋設して凹凸部を形成した構成としてあり、凹凸形成部材を弾力性の高い材料で形成することによって、扉閉め時、凹凸部が収納ケース前面に当接したときに収納ケースを傷つけたりすることを防止できるとともに、凹凸形成部材を平面状部材と取り換えることによって他の冷蔵庫の扉と共用化を図ることができる。
【００１５】
第４の発明は、第１〜第３の発明において、冷気通路を形成する凹凸部はピラミッド型突起群或いは円錐型突起群で形成してあり、扉内面と収納ケース前面に流れ込んできた冷気を素早く収納ケースの左右方向、すなわち外周に効率よく拡散させて野菜を冷却することができる。
【００１６】
第５の発明は、第１〜第３の発明において、冷気通路を形成する凹凸部は上下方向のスリット状にしてあり、冷気を収納ケースの底部に効率よく案内して野菜を冷却することができる。
【００１７】
第６の発明は、第１〜第５の発明において、収納ケースは棚板の下部に引出自在に配置して、当該収納ケースの上面開口を前記棚板によって閉塞した構成としてあり、貯蔵室上部から野菜室に流れる冷気が直接大量に収納ケース内に流れ込んで野菜が乾燥するのを防止することができる。
【００１８】
以下、本発明の実施の形態について、図面を参照しながら説明する。なお、この実施の形態によって本発明が限定されるものではない。
【００１９】
（実施の形態１）
図１は本発明の実施の形態１における冷蔵庫の正面図、図２は同冷蔵庫の断面図、図３は同冷蔵庫の扉を開いた時の正面図、図４は同扉の斜視図である。
【００２０】
図１〜図６において、この冷蔵庫は冷蔵庫１００の内方と外方とを断熱状態で隔てる冷蔵庫本体１０１内に複数に区画した貯蔵室を備えている。この実施の形態の場合は二つの貯蔵室に区画してあり、下部の貯蔵室１０２は冷凍室、上部の貯蔵室１０３は複数の棚板１０４，１０５，１０６，１０７を有し、その機能（冷却温度）によって冷蔵室１０８、野菜室１０９等と区別して称している。
【００２１】
上記冷蔵室１０８は食品が凍らない程度の温度、通常１℃〜５℃程度に設定してあり、更に野菜室１０９はそれと同等もしくは若干高めに設定してある。具体的には２℃〜７℃であるが、低温にするほど野菜の鮮度を長期間維持することが可能となる。
【００２２】
前記冷蔵庫本体１０１は金属製の外箱１０１ａと樹脂製の内箱１０１ｂとの間に例えば硬質発泡ウレタン等の断熱材１０１ｃを充填して構成してあり、外方の大気から冷蔵庫本体１０１の内方に流入しようとする熱を遮断する機能を有している。
【００２３】
また、この冷蔵庫１００は前記冷凍室となる貯蔵室１０２を開閉する第１扉１１０と、冷蔵室１０８、野菜室１０９となる貯蔵室１０３を開閉する第２扉１１１を備え、これら各扉１１０，１１１は例えば右側端部を冷蔵庫本体１０１に回転自在に取り付けてあり、ウレタンのような発泡断熱材を発泡充填して構成してある。
【００２４】
前記第２扉１１１によって開閉される貯蔵室１０３の最下部が野菜室１０９となっており、この野菜室１０９には樹脂製の収納ケース１１２が配置してある。この収納ケース１１２は貯蔵室１０３の底面を形成する載置板１１４に載置してあり、第２扉１１１を開いて出し入れ自在としてある。なお、この載置板１１４は前後方向に複数の凹部（図示せず）が形成してあり、収納ケース１１２前面と第２扉１１１との間を流下してくる冷気が収納ケース１１２の底面を経由して後述する冷却器へと流れるようにしてある。
【００２５】
上記収納ケース１１２は前部上端縁の斜め前方下向きに傾斜突出する把手部１１２ａが形成してあり、上面開口はその直上に設けてある棚板１０７によって閉塞され、冷蔵室１０８からの冷気が収納ケース１１２内に直接かつ大量に入り込まないようにしてある。
【００２６】
また、前記収納ケース１１２の前面と対向する第２扉１１１の内面には図３、図４に示すようにピラミッド型突起群からなる凹凸部１１５を形成し、この凹凸部１１５と扉内面との接触面間に冷気通路１１６を形成している。加えて上記収納ケース１１２の把手部１１２ａと対向する第２扉１１１の内面部に凹部１１７を設けて前記把手部１１２ａとの間
に冷気風路１１８を形成し、当該冷気風路１１８が前記凹凸部１１５によって形成される冷気通路１１６と連通するように構成してある。
【００２７】
上記第２扉１１１の凹凸部１１５は扉とは別材料で形成した凹凸形成部材１１９を埋設して凹凸部１１５を形成した構成としてある。そして、第２扉１１１は硬質ウレタン等を発泡充填して構成してあるが、凹凸形成部材１１９は硬質ウレタン等より弾力性が高い材料、例えば発泡スチロール等で形成し、その表面を樹脂薄板で覆って構成してある。
【００２８】
前記野菜室１０９等に冷気を供給する冷却器１２０と送風ファン１２１は冷凍室となる貯蔵室１０２の背部に設けてあり、ダクト１２２を介して冷凍室となる貯蔵室１０２と、冷蔵室１０８、野菜室１０９等となる貯蔵室１０３に冷気を供給し、吸込口（図示せず）を介して吸引循環させるようになっている。そして、前記野菜室にもその上部後面に吸込口１２３が形成してある。
【００２９】
以上のように構成した冷蔵庫について、以下その動作、作用を説明する。
【００３０】
まず、冷凍室１０２の背部に配置した冷却器室の冷却器１２０で熱交換した冷気は送風ファンの運転によって冷凍室１０２に吐出するとともに、ダクト１２２を介して貯蔵室１０３の上部に吐出する。貯蔵室１０３の上部に出した冷気は冷蔵室１０８の各棚板１０４，１０５，１０６の後方端隙間と前方空間部を介して野菜室１０９へと流れる。
【００３１】
野菜室１０９へと流れる冷気は収納ケース１１２直上の棚板１０７によって収納ケース１１２の上部開口がふさがれているので、棚板１０７前方端へと流れる。この棚板１０７前方端へと流れる冷気は、第２扉１１１内面と収納ケース１１２との間に形成された冷気風路１１８を下向きに流れ、更にこの冷気風路１１８と連通した冷気通路１１６を流下し、収納ケース１１２の底面及びケース外周面部を後方に向けて流れ、吸込口１２３より冷却器へと循環していく。
【００３２】
そして、上記収納ケース１１２の底面および外周面部を流れる冷気によって、収納ケース１１２内の野菜を冷却することになる。
【００３３】
ここで、上記収納ケース１１２は第２扉１１１の開閉とは関係なく使用者が手で貯蔵室内に押し込むため、扉の閉成によって収納ケース位置が設計通りの位置に収納される扉引出連動タイプと異なり、その位置は出し入れの都度異なる。場合によっては、第２扉１１１の内面が収納ケース１１２の前面に当接して収納ケース１１２を押し込んでも、すなわち、扉内面と収納ケース前面とが接触していても、これら両者間は凹凸部１１５によって必ず冷気通路１１６が形成されることになる。したがって、貯蔵室上部からの冷気は扉内面と収納ケース前面との間に形成される冷気風路１１８及び冷気通路１１６を流れて収納ケース底面から外周面部へと拡散し収納ケース１１２内の野菜を確実に冷却することができる。
【００３４】
また、上記収納ケース１１２はその前面上端に把手部１１２ａを形成しているので、収納ケース１１２の出し入れはこの把手部１１２ａを持って容易に行うことができるとともに、当該把手部１１２ａと対向する第２扉１１１の内面部は凹部１１７を設けて前記把手部１１２ａとの間に冷気風路１１８を形成してあるから、冷気を冷気通路１１６へと確実に流すことができ、使用性向上と確実な野菜冷却を実現することができる。
【００３５】
更に、上記冷気通路１１６を形成する凹凸部１１５は、収納ケース１１２の前面と対向する第２扉１１１の内面部分に凹凸形成部材１１９を埋設して形成して、この凹凸形成部材１１９を発泡スチロール等の弾力性の高い材料で形成しているから、扉閉め時、凹凸部
１１５が収納ケース前面に当接したときに収納ケース１１２を傷つけたりすることを防止でき、長期間にわたって扉内面の美観を損なうことがなくなる。加えて、上記凹凸形成部材１１９を平面状部材と取り換えることによって、第２扉内面に野菜室を設けないタイプの冷蔵庫の扉と共用化することができる。
【００３６】
また、冷気通路１１６を形成する凹凸部１１５はピラミッド型突起群或で形成してあり、扉内面と収納ケース前面に流れ込んできた冷気を素早く収納ケース１１２の左右方向外周にも効率よく拡散させて野菜を冷却することができる。
【００３７】
また、この実施の形態の冷蔵庫では、収納ケース１１２は棚板１０７の下部に引出自在に配置して、当該収納ケース１１２の上面開口を前記棚板１０７によって閉塞した構成としてあり、貯蔵室上部から野菜室に流れる冷気が直接大量に収納ケース１１２内に流れ込んで野菜が乾燥するのを防止することもできる。
【００３８】
なお、この実施の形態では冷凍室となる貯蔵室１０２にも冷凍室用収納ケース１２４が設けてあって、この冷凍室用収納ケース１２４と対向する第１扉１１０の内面も第２扉１１１の内面と同様の凹凸部１１５を設けてケース把手部１２５との間に冷気通路を形成してあり、前記と同様の作用によって冷凍室用収納ケース１２４前面部へ冷気を確実に供給することができるようにしてある。
【００３９】
（実施の形態２）
この実施の形態２は図示しないが、実施の形態１で説明した冷気通路形成用の凹凸部１１５を上下方向のスリット状に形成したものであり、扉内面と収納ケース前面の冷気風路１１８に流れ込んできた冷気を素早く収納ケース１１２の底面部に効率よく案内して野菜を冷却することができる。
【００４０】
なお、上記実施の形態は本発明を実施するうえでの一例として示したものであり、本発明の目的を達成する範囲内で種々変更可能であることは言うまでもない。例えば、扉内面と収納ケース前面との間に冷気通路を形成する凹凸部は扉内面に設けたが、収納ケースの把手部やケース前面壁に設けてもよいし、第２扉１１１の内面に形成した冷気通路形成用の凹凸部はピラミッド型突起群で説明したが、これと同様の作用を発揮する例えば円錐型突起群で構成してもよいものである。
【産業上の利用可能性】
【００４１】
以上のように本発明は、扉の開閉とは関係なく野菜収納ケースを出し入れするタイプにおいても野菜を確実に冷却することができ、一般用はもちろん業務用の冷蔵庫へも幅広く適用できる。
【符号の説明】
【００４２】
１００  冷蔵庫
１０１  冷蔵庫本体
１０２  冷凍室（貯蔵室）
１０３  貯蔵室
１０４，１０５，１０６，１０７  棚板
１０８  冷蔵室（貯蔵室）
１０９  野菜室（貯蔵室）
１１０  第１扉
１１１  第２扉
１１２  収納ケース
１１２ａ  把手部
１１４  載置板
１１５  凹凸部
１１６  冷気通路
１１９  凹凸形成部材
１２０  冷却器
１２１  送風ファン
１２２  ダクト
１２３  吸込口
【図１】
2013190136.tif 000003
【図２】
2013190136.tif 000004
【図３】
2013190136.tif 000005
【図４】
2013190136.tif 000006
【図５】
2013190136.tif 000007